(57)【要約】【課題】  外部光を用いた不正を防止するために、マイコン等の高価なパーツや複雑なソフトを用いることなく、簡易でしかも信頼性が高くローコストな遊戯機用投入物セレクタを提供する。【解決手段】  投光素子と受光素子を用い、投光素子のパルス光を受光素子で受光し、投光素子と受光素子との間を通過する検出物の有無を検出する光センサを備え、投光パルス信号は、Ｈｉｇｈ（Ｈ）とＬｏｗ（Ｌ）のデューティ比が１であり、待機状態では、投光パルス信号と受光パルス信号を排他的論理和回路を用いて不一致検出を行うことにより、常に投光素子への投光パルス信号と受光素子からの受光パルス信号が同期していることを確認するようにした。【選択図】      図１
2007282867.tif 000002
【特許請求の範囲】
【請求項１】
投光素子と、この投光素子よりの光を受光する受光素子とからなる光センサを備え、投光素子と受光素子の間を通過する投入物の有無を検出する遊戯機用投入物セレクタにおいて、
前記投光素子を駆動するためのパルス信号を出力するパルス発振回路と、このパルス発振回路のパルス信号と前記受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する論理回路と、を備えたことを特徴とする遊戯機用投入物セレクタ。
【請求項２】
前記パルス発振回路よりのパルス信号は、Ｈｉｇｈ（Ｈ）とＬｏｗ（Ｌ）のデューティ比が１：１であることを特徴とする請求項１記載の遊戯機用投入物セレクタ。
【請求項３】
前記論理回路は、排他的論理和回路であり、前記投光用のパルス信号と前記受光出力のパルス信号が同期しているかの不一致検出を行い、同期している場合に待機状態を示す信号を出力することを特徴とする請求項１又は請求項２記載の遊戯機用投入物セレクタ。
【請求項４】
前記論理回路は、前記投光用のパルス信号が非投光の期間に、前記受光素子より受光信号を受けた場合に、不正投入物有りを示す信号を出力する回路を含むことを特徴とする請求項１、又は請求項２記載の遊戯機用投入物セレクタ。
【請求項５】
前記パルス発振回路と前記論理回路の間に、パルス信号を遅延させる位相調整回路を設け、前記パルス発振回路からの投光用のパルス信号を、位相調整回路を介して、前記論理回路に入力することを特徴とする請求項１、請求項２、請求項３又は請求項４記載の遊戯機用投入物セレクタ。
【請求項６】
前記投光素子、前記受光素子、前記パルス信号発振回路及び前記論理回路が一個のケースに収納されてなることを特徴とする請求項１、請求項２、請求項３、請求項４、又は請求項５記載の遊戯機用投入物セレクタ。
【請求項７】
第１の投光素子と、この第１の投光素子よりの光を受光する第１の受光素子とからなる第１の光センサと、第２の投光素子と、この第２の投光素子よりの光を受光する第２の受光素子とからなる第２の光センサとを並設し、第１の投光素子と第１の受光素子の間を通過し、次に第２の投光素子と第２の受光素子の間を通過する投入物の有無を、第１及び第２の受光センサの出力により検出する遊戯機用投入物セレクタにおいて、
前記第１及びの第２の投光素子を駆動するためのパルス信号を出力するパルス発振回路と、
前記パルス発振回路のパルス信号と、前記第１の受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する第１の論理回路と、
前記パルス発振回路のパルス信号と、前記第２の受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する第２の論理回路と、
を備え、前記第１の論理回路と前記第２の論理回路の出力に基づいて所定投入物の有無検出を行うことを特徴とする遊戯機用投入物セレクタ。
【請求項８】
前記パルス発振回路よりのパルス信号は、Ｈｉｇｈ（Ｈ）とＬｏｗ（Ｌ）のデューティ比が１：１であることを特徴とする請求項７記載の遊戯機用投入物セレクタ。
【請求項９】
前記第１の論理回路及び前記第２の論理回路は、それぞれ排他的論理和回路であり、前記投光用のパルス信号と前記受光出力のパルス信号が同期しているかの不一致検出を行い、同期している場合に待機状態を示す信号を出力することを特徴とする請求項７又は請求項８記載の遊戯機用投入物セレクタ。
【請求項１０】
前記第１の論理回路及び第２の論理回路は、前記投光用のパルス信号が非投光の期間に、前記受光素子より受光信号を受けた場合に、不正投入物有りを示す信号を出力する回路を含むことを特徴とする請求項７、又は請求項８記載の遊戯機用投入物セレクタ。
【請求項１１】
前記パルス発振回路と前記第１の論理回路、及び前記第２の論理回路の間に、パルス信号を遅延させる位相調整回路を設け、前記パルス発振回路からの投光用のパルス信号を、位相調整回路を介して、前記前記第１の論理回路、前記第２の論理回路に入力することを特徴とする請求項７、請求項８、請求項９又は請求項１０記載の遊戯機用投入物セレクタ。
【請求項１２】
前記第１及び第２の投光素子、前記第１及び第２の受光素子、前記パルス信号発振回路、前記第１の論理回路及び前記第２の論理回路が一個のケースに収納されてなることを特徴とする請求項７、請求項８、請求項９、請求項１０、又は請求項１１記載の遊戯機用セレクタ。
【請求項１３】
前記位相調整回路の投光パルス信号の遅延は、パルス信号がロー（Ｌ）からハイ（Ｈ）になる時間を遅延させるものであることを特徴とする請求項５又は請求項１１記載の遊戯機用投入物セレクタ。
【請求項１４】
前記位相調整回路の投光パルス信号の遅延は、信号がハイ（Ｈ）からロー（Ｌ）になる時間を遅延させるものであることを特徴とする請求項５又は請求項１１記載の遊戯機用投入物セレクタ。
【請求項１５】
前記位相調整回路の投光パルス信号の遅延は、信号がロー（Ｌ）からハイ（Ｈ）及びハイ（Ｈ）からロー（Ｌ）になる時間を遅延させたことを特徴とする請求項５又は請求項１１記載の遊戯機用投入物セレクタ。
【発明の詳細な説明】
【技術分野】
【０００１】
本発明は、ゲーム機のコインやスロットマシンのメダル等の投入物をカウントする場合等に使用する遊戯機用投入物セレクタに関する。
【背景技術】
【０００２】
スロットマシン等のゲーム機においてはゲームプレイに先立ってメダルやコインを投入してゲームを行うことが出来る。この投入されたメダルやコインの確認と枚数のカウントには光センサが用いられている。
【０００３】
このような光センサは、投光素子に直流電流を流し、投光素子からフラットな光を出し、その光を受光素子で受光し、投入物（メダルやコイン等）での遮光による光量の変化を検出するものであり、１対の投光素子及び受光素子を用いたものや、或いは同様の投光素子及び受光素子を２対用い、この２対の投光素子及び受光素子を検出物の通過方向に並べたものがあり、後者の光センサでは２対の投光素子及び受光素子の出力信号の位相差を検出して、投入物（検出物）の通過方向と数を検出している。
【０００４】
上記光センサの働きを不正操作も含めて説明する。但し、受光素子（例えばフォトＩＣ）においては投光素子（例えば発光ダイオード）の光を受けた場合、出力部がハイ（Ｈｉｇｈ）になるものとロー（Ｌｏｗ）になるものとがあるが、以下ではハイ（Ｈ）になるもので説明する。
【０００５】
図１６は一般的な光センサの外観斜視図、図１７は同光センサの一般的な回路図、図１８は同光センサの投光信号と受光信号の出力の一例を示す。
【０００６】
この光センサ１００は、投光素子ＬＥＤを有する投光部１０１と、受光素子ＰＤを有する受光部１０２と、投光部１０１と受光部１０２との間に設けられた投入物（メダルやコイン等）の通過溝１０３とを備える。このような光センサ１００では、投光素子ＬＥＤに電流を流して投光部１０１を発光させ、この光を受光部１０２の受光素子ＰＤで受け、受光素子ＰＤの出力電流をアンプ１０４で増幅し、シュミット回路１０５で波形整形した後、出力トランジスタＱを介して信号を出力している。この場合、通過溝１０３を通過する投入物が遮光することにより出力された信号で投入物の数をカウントしている。
【０００７】
また、この種の光センサ１００に対して、現在一般に行われている不正について述べる。この場合、図１９に示すように透光フィルム１２１に不透光マジック等で線１２２を入れたり、或いは光不透過テープ（図示せず）を貼り付けたりした不正具１２０が用いられる。この不正具１２０を光センサ１００の通過溝１０３に挿入・引き出しすることにより、図２０に示すように、不正具１２０の３本の線１２２に対応して、挿入時に３個（Ａ点、Ｂ点、Ｃ点の出力Ｌ）、引き出し時に３個（Ｃ点、Ｂ点、Ａ点の出力Ｌ）、合計６個の投入物が通過したような出力信号を発生させ、恰もコイン、メダル等の投入物が投入されたと同様の不正ゲームが行われている。
【０００８】
そのような不正操作を防止するため、図２１のような２対の投光部１１１ａ，１１１ｂ及び受光部１１２ａ，１１２ｂを有する光センサ１１０を用いて、投入物の通過方向と枚数を検出する対策もある。この場合は、不正具（透光フィルム１３１に不透光線１３２を入れたもの）１３０による不正操作に対しては、図２２に示すように、通過溝１１３への不正具１３０の挿入時の出力信号の位相（Ｘ点）と、不正具１３０の引き出し時の出力信号の位相（Ｙ点）とでは、位相が逆転するため、例えば挿入時を加算数とし、引き出し時を減算数とすれば、投入数は相殺されてしまう。これを利用して不正行為によるゲームを出来なくしたり、或いはＹ点以後は信号として収納側から投入側に投入物が引き出された状態が示されているため、不正操作の検出に利用したりしている。
【０００９】
また、この種の不正操作に対するメダルセレクタとして、第１メダル通過センサの下方に第２メダル通過センサを追加し、第１及び第２メダル通過センサが検出動作した時だけ、適正なメダル投入であるとしたものが提案されている（例えば特許文献１参照）。  
【００１０】
しかしながら、最近では図２３に示すような不正具１４０を用いた不正操作が非常に多くなり、被害も甚大となっている。この不正具１４０は、投光素子である小さな２個のチップＬＥＤ１４１，１４２を、光センサ１１０の１対の投光部１１１ａ及び受光部１１２ａと１対の投光部１１１ｂ及び受光部１１２ｂとの間隔に合わせて不透光フィルム１４５に取り付け、各チップＬＥＤ１４１，１４２にそれぞれ接続したリード線１４３，１４４を不透光フィルム１４５の外部に導出したものである。
【００１１】
この不正具１４０を光センサ１１０の通過溝１１３に挿入し、リード線１４３，１４４に図２４に示すようなパルス電流を流し、チップＬＥＤ１４１，１４２を位相差を持って発光させ、あたかも投入物を投入したかのような信号を発生させる不正が行われている。
【００１２】
このような発光素子を搭載した不正具を用いた操作による不正を防止するために、不正具をメダル投入口から挿入する際に、投入センサにより不正具の挿入が検出されないように、不正具の発光素子を発光させた状態で挿入する必要があるので、投入センサの配置位置よりも上流側で、かつ投入センサの受光部と同じ側に配置した発光検出センサの受光部により、不正具の発光素子の発光を受光した場合に、異常と判定するスロットマシンが開示されている（例えば特許文献２参照）。
【００１３】
また、メダルの取込側経路に配置された投光部と、投光部に対向して配置される第１受光部と、投光部から第１受光部への光が流下するメダルにより反射した反射光を受光可能な位置に配置される第２受光部とからなる入力メダルセンサの受光状態の遷移によりメダル投入を判定するとともに、この投入メダルセンサよりも上流側に流下するメダルにより取込側通路外に退避するよう設けた当接片の退避状態を検出する通過センサによる検出時間が所定時間経過したことにより異常を判断するスロットマシンが開示されている（例えば特許文献３参照）。
【特許文献１】特開２００１-１７６１１号公報
【特許文献２】特開２００５-３４２３９７号公報
【特許文献３】特開２００５-３４９０４４号公報
【発明の開示】
【発明が解決しようとする課題】
【００１４】
上記したように、発光素子を搭載した不正具を用いた、不正が大変多く行われているため、ゲームセンターやパチンコ店は膨大な損害が発生し、営業に多大な影響が及んでいる。発光素子を搭載した不正具を用いた不正がなされても、上記特許文献２、特許文献３に記載のスロットマシンでは、不正使用となるのを防止できる。しかしながら上記特許文献２のものでは、不正投入検出用の受光素子を設けねばならないし、引用文献３に記載のものでは、当接片を用いた通過センサを設けねばならず、センサ部分が大型化し、コスト高になるという問題が残されている。
【００１５】
この発明は、上記問題点に着目してなされたものであって、外部光を用いた不正操作を防止するために、マイコン等の高価なパーツや複雑なソフト、その他の部品を用いることなく、簡易でしかも信頼性が高くローコストな遊戯機用投入物セレクタを提供することを目的としている。
【課題を解決するための手段】
【００１６】
前記目的を達成するために、この発明の請求項１に係る遊戯機用投入物セレクタは、投光素子と、この投光素子よりの光を受光する受光素子とからなる光センサを備え、投光素子と受光素子の間を通過する投入物の有無を検出する遊戯機用投入物セレクタにおいて、
前記投光素子を駆動するためのパルス信号を出力するパルス発振回路と、このパルス発振回路のパルス信号と前記受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する論理回路と、を備えたことを特徴とする。
【００１７】
また、この発明の請求項７に係る遊戯機用投入物セレクタは、第１の投光素子と、この第１の投光素子よりの光を受光する第１の受光素子とからなる第１の光センサと、第２の投光素子と、この第２の投光素子よりの光を受光する第２の受光素子とからなる第２の光センサとを並設し、第１の投光素子と第１の受光素子の間を通過し、次に第２の投光素子と第２の受光素子の間を通過する投入物の有無を、第１及び第２の受光センサの出力により検出するものにおいて、前記第１及びの第２の投光素子を駆動するためのパルス信号を出力するパルス発振回路と、前記パルス発振回路のパルス信号と、前記第１の受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する第１の論理回路と、前記パルス発振回路のパルス信号と、前記第２の受光素子の受光出力とを入力に受けて論理処理し、前記投光用のパルス信号と前記受光出力のパルス信号が投光及び受光期間で同期しているときに、待機状態を示す信号を出力し、前記投光用のパルス信号が投光期間であるときに前記受光出力が無しのとき、及び非投光期間に受光出力が有る場合に、投入物検出を示す信号を出力する第２の論理回路と、を備え、前記第１の論理回路と前記第２の論理回路の出力に基づいて所定投入物の有無検出を行うことを特徴とする。
【００１８】
この発明の投入物セレクタにおいて、パルス発振回路より出力される投光パルス信号は、Ｈｉｇｈ（Ｈ）とＬｏｗ（Ｌ）のデューティ比が１：１であることが好ましい。
【００１９】
また、この発明において、前記論理回路、又は第１の論理回路、第２の論理回路は、排他的論理和回路であり、前記投光用のパルス信号と前記受光出力のパルス信号が論理値の異なる状態で不一致検出を行い、その出力により、待機状態を示す信号を出力するようにするのが好ましい。
【００２０】
また、この発明において、前記論理回路、又は第１の論理回路、第２の論理回路は、前記投光用のパルス信号が非発光の期間に、前記受光素子より受光信号を受けた場合に、不正投入物有りを示す信号を出力するようにするのが好ましい。
【００２１】
また、この発明において、前記パルス発振回路と、前記論理回路又は第１の論理回路、第２の論理回路との間に、パルス信号を遅延させる位相調整回路を設け、前記パルス発振回路からの投光用のパルス信号を、位相調整回路を介して、前記論理回路又は第１の論理回路、第２の論理回路に入力するようにするのが好ましい。
【００２２】
また、この発明において、前記位相調整回路の投光パルス信号の遅延は、パルス信号の立ち上がり時点に時間を遅延させることが可能である。
【００２３】
また、前記位相調整回路の投光パルス信号の遅延は、パルス信号の立ち下がり時点の時間を遅延させることも可能である。
【００２４】
また、前記位相調整回路の投光パルス信号の遅延は、パルス信号の立ち上がり時点及び立ち下がり時点の時間を遅延させることも可能である。  
【００２５】
また、この発明の遊戯機用投入物のセレクタにおいて、投光素子、受光素子、論理処理回路及び出力回路等の各回路部は、１個のケースに収納されるのが好ましい。
【発明の効果】
【００２６】
この発明によれば、投光素子を駆動するためのパルス信号を出力するパルス発振回路と、このパルス発振回路のパルス信号と、受光素子の受光出力とを入力に受けて論理処理し、投光用のパルス信号と受光出力のパルス信号が投光及び受光期間で同期しているときに、待機状態を示す信号を出力し、投光用のパルス信号が投光期間であるときに受光出力が無しの場合に、投入物検出を示す信号を出力する論理回路と、により、構成するものであり、高価なマイコン等を使わないので、安価で小型な投入物セレクタを提供することができる。
【００２７】
また、パルス信号で投光部を駆動し、このパルス信号と受光出力のパルス信号との論理処理により、待機状態の確認、及び投入物の検出を行うので、パルス信号の周波数を高いものとすることにより、ハイスピードなパルス信号で受光パルスを監視でき、不正遊戯を完全に防止できる。その上、簡易な回路のため動作に高い信頼性を得ることができる。
【発明を実施するための最良の形態】
【００２８】
以下、本発明を実施の形態に基づいて説明する。但し、本発明の遊戯機用投入物セレクタは回路に特徴があるので、以下では回路を中心に説明する。
【００２９】
その一実施形態に係る遊戯機用投入物セレクタの回路の一例を図１に示す。この実施形態遊戯機用投入物セレクタは、１対の投光部１及び受光部２と、パルス発振回路３と、このパルス発振回路３よりのパルス信号に応じて投光部１のＬＥＤ１１を駆動する投光駆動回路４と、パルス発振回路３よりのパルス信号の位相を調整する位相調整回路５と、受光部２の出力信号ＰＯとパルス発振回路３のパルス信号が位相調整回路５を経て入力される信号とを両入力信号として受ける排他的論理和回路（素子Ｕ４）６と、この排他的論理和回路６の出力を検波・平滑する検波回路７と、この検波回路７の出力と基準電圧とを比較して信号出力する比較回路ＣＯＭ１を含む出力回路８とを備えている。この図１に示す各回路部は、例えば図１６に示す光センサのように、一個のケース内に収納されている。
【００３０】
パルス発振回路３は、インバータＵ１，Ｕ２，Ｕ３と抵抗Ｒ１，Ｒ２及びコンデンサＣ１とにより一般に良く知られたインバータ発振回路が構成されている。その発振周波数はコンデンサＣ１及び抵抗Ｒ２の充放電の時定数で規制されている。この発振回路の発振周波数は、商用周波数より高く選ばれ、具体的には数百ＨＺ〜数十ＫＨＺに設定する。因みに、抵抗Ｒ１はコンデンサＣ１によるインバータＵ１の入力部の逆電圧保護用抵抗である。  
【００３１】
なお、パルス発振回路３のパルス信号は、論理処理において、ハイ（Ｈ）とロー（Ｌ）の信号を使用する関係上、Ｓ／Ｎ比と信頼性を高めるために、ハイ（Ｈ）とロー（Ｌ）のデューティ比が１：１であることが好ましい。そのため、ここでは、簡易で安価に構成したパルス発振回路３を使用し、ハイ（Ｈ）とロー（Ｌ）のデューティ比を１：１としている。
【００３２】
パルス発振回路３のクロックパルス信号ＣＬがハイ（Ｈ）の時、投光駆動回路４のトランジスタＱ１のベースには、抵抗Ｒ３を介して投光用パルスが印加されてベース電流が流れ、トランジスタＱ１はＯＮし、ＬＥＤ１１には抵抗Ｒ５を介して電流が流れ、ＬＥＤ１１は発光する。
【００３３】
受光部２を構成するフォトＩＣは、フォトダイオード２１と、アンプ２２と、波形整形用のシュミット回路２３と、抵抗Ｒ２４、Ｒ２５，Ｒ２６及びトランジスタＱ２からなる信号出力回路２４と、から構成されている。位相調整回路５は、ダイオードＤ１と抵抗Ｒ６の直列回路に抵抗Ｒ７が並列接続され、さらにこの並列回路とアース間にコンデンサＣ２を接続して構成され、並列回路の一端がパルス発振回路３の出力端（インバータＵ３の出力端）に接続され、並列回路の他端が排他的論理和回路６の一方の入力端（Ａ点）に接続されている。この位相調整回路５は、後述するように、受光部２で受光パルスが遅延することが有る場合を考慮して設けたものであり、遅延が小さい場合は、この位相調整回路５を省いて、インバータＵ３の出力部を排他論理和回路６の入力（Ａ点）に直接接続してもよい。排他的論理和回路６の他方の入力端には、受光部２の出力信号ＰＯが入力されるように接続されている。
【００３４】
排他的論理和回路６の出力は、検波回路７のダイオードＤ２で検波され、抵抗Ｒ８と、抵抗Ｒ１２と、コンデンサＣ３からなる積分回路の積分により平滑され、比較回路ＣＯＭ１の（-）入力端に入力される。一方、比較回路ＣＯＭ１の（＋）入力端（Ｄ点）には、抵抗Ｒ９と抵抗Ｒ１０で電源電圧ＶＣＣを分圧した基準電圧ＶＣが入力されている。比較回路ＣＯＭ１の比較結果が信号出力ＯＵＴとして、出力端子Ｐより出力される。比較回路ＣＯＭ１の（-）入力端に入力される電圧が基準電圧ＶＣより大きいときは、比較回路ＣＯＭ１の出力は反転してロー（Ｌ）となる。しかし、（-）入力端への入力電圧が基準電圧ＶＣより小さい場合は、比較回路ＣＯＭ１の出力はハイ（Ｈ）となる。
【００３５】
次にこの実施形態回路おける動作を説明する。先ず位相調整回路５を接続せず（採用せず）、パルス発振回路３のクロックパルス信号ＣＬを直接排他的論理和回路６に入力した場合について説明する（受光部２の出力が投光用信号に対して遅延しないと仮定する）。
【００３６】
投光部１と受光部２との間の通過溝にコイン、あるいはメダル等の投入物が無い場合、投光部１のＬＥＤ１１からの光を受光部２のフォトダイオード２１が受光する。受光部２の出力ＰＯは、図２に示すように投光パルスＣＬがハイ（Ｈ）である期間に同期してハイ（Ｈ）となる。
【００３７】
ここでは、位相調整回路５を省いており、インバータＵ３の出力のクロックパルス信号ＣＬを排他的論理和回路６のＡ点に直接接続しているので、投光用のクロックパルス信号ＣＬに同期して受光部（フォトＩＣ）２の出力ＰＯ（受光信号）が発生する待機状態では、クロックパルス信号ＣＬと受光部２の出力ＰＯとが同期している。そのため、排他的論理和回路６の出力（Ｂ点）は、図２の信号波形図や図３に示す排他的論理和回路６の真理値表からも明らかなようにＡ点及び受光出力ＰＯがハイ（Ｈ）、あるいはロー（Ｌ）のいずれの場合も常にロ−（Ｌ）、すなわち０Ｖを保ち、そして検波回路７の出力、及びＣ点もロー（Ｌ）であり、このＣ点の電圧が比較回路ＣＯＭ１の基準電圧ＶＣより低いため、アナログ比較回路ＣＯＭ１の出力端子ＰのＯＵＴ信号はハイ（Ｈ）を保持する。つまり、出力回路８の出力端子Ｐより、待機状態を示すハイ（Ｈ）信号が出力される。
【００３８】
投入物の通過によりＬＥＤ１１からの光が遮られると、図３の真理値表からも明らかなように、受光部２の出力ＰＯはその遮光の間ロー（Ｌ）を保持し、このロー（Ｌ）が排他的論理和回路６に入力され、一方、クロックパルス信号ＣＬが排他的論理和回路６に入力されるので、そのクロックパルス信号ＣＬのハイ（Ｈ）毎にクロックパルス信号ＣＬに同期して排他的論理和回路６は、ハイ（Ｈ）のパルスを出力する。このハイ（Ｈ）のパルスが検波回路７で、ダイオードＤ２により検波され、抵抗Ｒ８を介してコンデンサＣ３で充電平滑されて直流電圧となり、比較回路ＣＯＭ１の（-）入力端に加えれる。この（-）入力端の電圧は、基準電圧ＶＣより大となり、出力がロー（Ｌ）に反転する。これによって。投入物検出を示すロー（Ｌ）信号が出力端子Ｐより出力される。
【００３９】
仮に、不正による外部光が受光部２のフォトダイオード２１に照射されると、照射された間、受光部２の出力ＰＯはハイ（Ｈ）を保持する。そうすると、排他的論理和回路６の他方の入力にクロックパルス信号ＣＬにより、ロー（Ｌ）とハイ（Ｈ）が入力されるので、排他的論理和回路６は、クロックパルス信号ＣＬのロー（Ｌ）毎に、ハイ（Ｈ）のパルスを出力する。そのため、排他的論理和回路６の出力以後は、投入物の通過の場合と同様の動作をする。
【００４０】
このように、不正に係る外部光が受光部（フォトＩＣ）２のフォトダイオード２１に照射された場合も検出物の検出と同様の出力信号が出力回路８の出力端子Ｐより出力される。
【００４１】
もっとも、不正に外部光が入力された場合は、その操作に長時間を要するため排他的論理和回路６の出力がハイ（Ｈ）でも、時間長が２０〜５０ｍＳのメダル等の所定投入物の検出信号に比し、はるかに長い検出信号となるので、遊戯機の制御部（図示せず）の方で、出力端子Ｐから入力される検出信号の長さを比較することにより、外部光入力による不正操作を検出できる。
【００４２】
ところで、実際には受光部２のフォトＩＣは応答性を持っているため、フォトＩＣは、光を受光して出力がハイ（Ｈ）になるまでにＴＤＨの遅れ時間を持つもの、受光後にトランジスタＱ１がＯＦＦし、光が無くなってフォトＩＣの出力がロー（Ｌ）になるまでＴＤＬの時間を持つもの、或いは両方（ＴＤＨ，ＴＤＬ）の遅延時間を持つもの等様々のものがある。
【００４３】
図１の検出回路において、位相調整回路５を設けない場合で、上記各遅延が生じる場合のそれらの関連波形を図４、図５、図６に示す。図４はフォトＩＣの出力ＰＯがロー（Ｌ）からハイ（Ｈ）になる時及びハイ（Ｈ）からロー（Ｌ）になる時に遅延する場合を示す。図５は受光部２の出力ＰＯがロー（Ｌ）からハイ（Ｈ）になる時に遅延する場合を示す。図６は受光部２の出力ＰＯがハイ（Ｈ）からロー（Ｌ）になる時に遅延する場合を示す。
【００４４】
図４〜図６からも分かるように、受光部２のフォトＩＣの出力ＰＯ（受光信号）に対する遅延処理を行わないと、出力ＰＯの遅延による排他的論理和回路６の出力Ｂ点に、遅延によるパルス幅の小さなパルスが出力し、これが検波回路７で、検波・平滑されて（図４〜図６のＣ点の波形参照）、比較回路ＣＯＭ１の（-）入力端に入力され、図１のアナログ比較回路ＣＯＭ１の入力Ｃ点には常に不要な電圧が印加されたままとなり、これにノイズ電圧が加わると、僅かなノイズでもアナログ比較回路ＣＯＭ１が誤動作を起こし易く、その信頼性が低下するおそれがある。
【００４５】
位相調整回路５は、この問題を解決するために設けたものである。この位相調整回路５による遅延対策について説明する。  まず、受光部２のフォトＩＣで図４のようにパルスの立ち上がりと、立ち下がりの両方（ＴＤＨ，ＴＤＬ）で遅延する場合について説明する。
図１の実施形態投入物セレクタにおいて、パルス発振回路３の出力クロックパルス信号ＣＬがハイ（Ｈ）になるとき、抵抗Ｒ６，Ｒ７の並列合成抵抗を介してコンデンサＣ２を充電するため、位相調整回路５より排他的論理和回路６のＡ点に加えられる電圧が一定の遅延時間を持った電圧となる（図７のＡ点の波形参照）。また、クロックパルス信号ＣＬがロー（Ｌ）となると、コンデンサＣ２に充電された電圧は、ダイオードＤ１（抵抗Ｒ６側にカソードが接続された）があることにより抵抗Ｒ７のみを介してパルス発振回路３のインバータＵ３の出力部で放電するため、一定の遅延時間を持った電圧となる（図７のＡ点の波形参照）。
【００４６】
この遅延した波形は、電源電圧ＶＣＣのおよそ１／２の値である排他的論理和回路６のスレッシュホールド電圧ＶＴＨで論理処理が機能する。この各々の遅延した電圧波形の時間はそれぞれＴＤＨ，ＴＤＬに設定されている。
【００４７】
従って、排他的論理和回路６に入力されるＡ点における電圧と受光部２の出力ＰＯは、全く同期した信号となり、排他的論理和回路６の出力は完全なロー（Ｌ）を保持し、Ｃ点も０ＶのためＳ／Ｎ比の高い信頼性の高いものにすることが出来る。これらの波形を図７に示す。
【００４８】
次に受光部２のフォトＩＣで、図５のように、波形の立ち上がりのとき、つまり、ロー（Ｌ）からハイ（Ｈ）になるときのみ遅延する場合は、クロックパルス信号ＣＬも同様に、立ち上がり部分のみ、遅延させればよい。そのため、図１の、ダイオードＤ１を逆向きにすると共に抵抗Ｒ６をショートすれば良い。この場合、図８に示す位相調整回路５を使用する。図８の位相調整回路５は、ダイオードＤ１を図１に示した場合と極性を逆にして接続し、このダイオードＤ１と抵抗Ｒ７を並列接続し、この並列回路とアース間にコンデンサＣ２を接続したものである。
【００４９】
また、受光部２のフォトＩＣで、図６のようにハイ（Ｈ）からロー（Ｌ）になるときに遅延する場合は、クロックパルス信号ＣＬも、立ち下がり部分のみ、遅延させればよい。そのため、図１の抵抗Ｒ６をショートすれば良い。この場合図９に示す位相調整回路５を使用する。図９の位相調整回路５は、図１に示した抵抗Ｒ６を除き、ダイオードＤ１は図１の場合と同極性で、抵抗Ｒ７と並列接続し、この並列回路とアース間にコンデンサＣ２を接続したものである。
【００５０】
上記のように遅延処理されたクロックパルス信号ＣＬと、これに同期した受光部２の出力ＰＯは、排他的論理和回路６により論理処理が行われる。排他的論理和回路６の出力は、検波回路７のダイオードＤ２で検波され、抵抗Ｒ８、コンデンサＣ３での積分により平滑され、直流電圧として、アナログ比較回路ＣＯＭ１の（−）入力端子に入力される。
【００５１】
この抵抗Ｒ８とコンデンサＣ３は積分回路を構成し、その機能は次のａ，ｂ，ｃのいずれかとなる。
ａ）投入物がない場合の遅延時間ＴＤＨとＴＤＬの設定が受光部２の出力ＰＯと少しでもずれた場合、排他的論理和回路６から出力されるハザードを吸収する（図４参照）。
ｂ）投入物がある場合は、受光部２が受光せず、その出力ＰＯがロー（Ｌ）となり、排他的論理和回路６から出力されるクロックパルス信号ＣＬに同期したハイ（Ｈ）のパルスを直流に平滑、変換する（図１１参照）。
ｃ）外部光が受光部（フォトＩＣ）２に照射され不正が行われるとき、受光部２は受光し、その出力ＰＯはハイ（Ｈ）となるため、上記と同様に排他的論理和回路６からＡ点に印加されるスレッシュホールド電圧ＶＴＨのタイミングに応じた信号の反転したパルスが同期して出力される。このパルスを直流に平滑、変換するものである（図１２参照）。
【００５２】
上記色々な状況における各部の信号と真理値表を図１３に示す。
【００５３】
投入物或いは外部光が無い場合は、待機状態であり、この状態になると排他的論理和回路６からの出力パルスが無くなり、コンデンサＣ３に充電された電圧は抵抗Ｒ１２を介して放電し０Ｖとなる。
また、正常な待機状態における各部のパルスの関連を図１０に示す。
【００５４】
受光部２の出力ＰＯとクロックパルス信号ＣＬがタイミング処理されたＡ点の電圧が排他的論理和回路６に入力されると、排他的論理和回路６は図１３に記した真理値表に従って論理処理される。この真理値表と図１０から分かるように正常な待機状態のみがＢ点、Ｃ点共にロー（Ｌ）、すなわち０Ｖであり、電源電圧を抵抗Ｒ９と抵抗Ｒ１０で分圧されたおよそ１／２・ＶＣＣにセットされた基準電圧ＶＣより低いため、アナログ比較回路ＣＯＭ１の出力端子Ｐの信号ＯＵＴはハイ（Ｈ）となっている。
【００５５】
一方、投入物が投光部１と受光部２との間の通過溝を通過する場合は、図１１に示すようにＢ点にはクロックパルス信号ＣＬと同一のパルスが発生するため、パルスはダイオードＤ２で検波され、抵抗Ｒ８を介しコンデンサＣ３で充電平滑され、Ｃ点の直流電圧がハイ（Ｈ）となる。そして、アナログ比較回路ＣＯＭ１の出力端子ＰのＯＵＴ信号はロー（Ｌ）に反転し、投入物有りの検出信号が出力される。
【００５６】
さらに、不正の外部光が加えられると、図１２に示すようにＢ点にはクロック信号ＣＬの反転したパルス信号が発生し、このパルスはダイオードＤ２で検波され、抵抗Ｒ８を介しコンデンサＣ３で充電平滑され、直流電圧がハイ（Ｈ）となり、アナログ比較回路ＣＯＭ１の（−）入力端子（Ｃ点）に入力される。この直流電圧は比較電圧ＶＣより高くなるため、アナログ比較回路ＣＯＭ１は出力反転し、その出力端子Ｐの信号ＯＵＴはロー（Ｌ）となり、検出信号が出力される。  
【００５７】
この外部光による検出出力と検出物の通過による検出出力は同じくロー（Ｌ）となっているが、投入物がセレクタに投入された場合は、クロックパルスの投光期間に相当する場合に、検出信号が、ロー（Ｌ）になるに対し、外部光による検出出力は、クロックパルスの非投光期間に相当する場合に、検出信号がロー（Ｌ）になるので、少しの論理回路の追加で両者を識別することができる。
【００５８】
また、投入物がセレクタに投入された場合、投入物は一定のスピードをもって光センサを通過するため、その検出出力時間はその機構によって決まる。検出物の通過による検出出力時間はおよそ１０〜５０ｍＳと一定の範囲であり、予め判明している。
【００５９】
実施形態投入物セレクタのパルス発振回路３が数百ＨＺ〜数十ＫＨＺと非常に高い周波数であり、例えばクロックパルスの周波数を１０ＫＨＺに設定していた場合、これに同期した周波数のハ゜ルス信号を発生させて外部より投入する発光素子を点灯して不正を行うことは、困難である。かりに上記１０ＫＨＺの周波数に対し９．９ＫＨＺのパルス光を入光させても，１０ＫＨＺの信号とで０．１ＫＨＺのビート信号が発生し、この信号が出力回路８から、出力され、不正を示す信号を出力する結果となり、結局不正を成功させることは不可能に近い。
【００６０】
また、光センサの受光部と外部光（チップＬＥＤからの光）との位置合わせには非常に時間を要し、とても数１０ｍＳで行うことは出来ない。また、その出力時間と予め判明している投入物の通過時間と比較することで、所定の投入物ではなく外部光によるものあることを識別できる。
【００６１】
その上、図２３のような不正具１４０（この場合は１個の光センサに応じて１個のチップＬＥＤ１４２のみを有するもの）の不透光フィルム１４５がチップＬＥＤ１４２よりも先に検出されるため、その出力時間を監視することにより容易に不正の発見が可能となる。
【００６２】
これらにおいて先にも述べたが、図４〜図６に示すようなハザードが出てＳ／Ｎ比を多少悪くしても良い場合や、検出速度を落としても良い場合は、抵抗Ｒ８、抵抗Ｒ１２、コンデンサＣ３の値を大きくして時定数を長くすることにより、勿論、位相調整回路５を省き、インバータＵ３の出力部を排他的論理和回路６の入力Ａ点に直接接続しても何ら問題なく機能する。
【００６３】
また、出力信号が反転しても良い場合は、アナログ比較回路ＣＯＭ１の比較基準電圧を（−）入力端子に接続し、検出からの信号部Ｃ点を（＋）入力端子に接続することも出来る。
【００６４】
次に、別実施形態に係る遊戯機用投入物セレクタの回路の一例を図１４に示す。この投入物セレクタは２対の投光部及び受光部を有する光センサを備えるものであり、図２１図に示すタイプの光センサを使用する。この実施形態投入物セレクタは、１対の投光部１ａ、受光部２ａと、パルス発振回路３と、投光駆動回路４ａと、位相調整回路５、排他的論理和回路６と、検波回路７ａと、出力回路８ａとを、備える点で図１に示す回路と同様である。図１に示す回路と同構成のこの回路部分で、第１の投入物セレクタ回路１０ａを構成している。
【００６５】
この実施形態投入物セレクタは、さらに加えて１対の投光部１ｂ、受光部２ｂと、排他論理和回路６ｂと、検波回路７ｂと、出力回路８ｂとを備え、排他的論理和回路６ｂには、受光部２ｂの出力ＰＯ２が入力されるとともに、パルス発振回路３のクロックパルス信号ＣＬが、位相調整回路５を介して、排他的論理和回路６ｂに入力されている。この新たに付加された回路部分に、パルス発振回路３、位相調整回路５を含めて第２の投入物セレクタ回路１０ｂを構成している。この図１４に示す実施形態の各回路部も、例えば図２１に示す光センサのように、１個のケース内に収納されている。
【００６６】
この実施形態投入物セレクタにおいて、第１の投入物セレクタ回路１０ａ、第２の投入物セレクタ回路１０ｂは、動作において、図１で示した回路の場合と同様である。ただ、この実施形態では、第１の一対の投光部１ａ、受光部２ａに対し、第２の一対の投光部１ｂ、受光部２ｂは、投入方向にずらして配置しているので、コイン、メダルなどの投入物は、最初に第１の投入物セレクタ１０ａで検出され、次に第２の投入物セレクタ１０ｂで通過信号が得られるので、確実に投入物を検出できる。
【００６７】
図２３に示す如き不正具を使用した場合は、つまり、外部光を加えた場合は、パルス発振回路３のクロックパルス信号の周波数が、数百Ｈｚ〜数十ＫＨｚに設定されるのに対し、例えば２つの受光素子に不正具の発光部を位置合わせするには長時間の作業を要することに伴う、長い時間の出力信号が出力されることや、クロックパルス信号ＣＬの周波数に同期させることは、極めて困難であり、例えばその差が僅かでもあれば差の周波数のビート信号が出力回路から出力され、不正使用を報知することも可能であり、発光素子などを用いた、不正使用を回避できる。
【００６８】
なお、上記した図１４の実施形態回路の全体動作に係る各部の信号の関連を図１５に示している。
【００６９】
また、上記実施形態において、メダル等の遊戯機所定の投入物が通過した場合と、不正具のＬＥＤ等の投入による場合は、出力端子Ｐ（Ｐａ，Ｐｂ）から、ともにロー（Ｌ）信号が検出信号として出力される。そのため、所定の投入物か外部光によるものかの区別は、遊戯機の制御部で、投入物検出信号を出力端子から取り込み、カウントするときに、検出信号の幅（時間長）が設定値以内か否かを判定し、設定値以内で有れば所定投入物検出とし、設定値を越える場合は外部光によるものであると判定すればよい、としている。
【００７０】
しかし、投入物セレクタの出力端子Ｐから、外部光を除く投入物検出の場合のみを、検出信号として出力したい場合は、例えば図１の比較回路ＣＯＭ１の出力端と出力端子Ｐの間に，比較回路ＣＯＭ１から出力されるロー（Ｌ）信号〔検出信号〕の幅（時間長）が設定値以内か否かを判定し、設定値以内で有れば所定投入物検出とし、設定値を越える場合は外部光等による異常であると判定する回路を設け、所定投入物と判定した場合にのみ、そのロー（Ｌ）信号〔検出信号〕を出力端子Ｐより出力するようにしてもよい。
【００７１】
また、他の対応策として、クロックパルス信号ＣＬの反転信号と受光出力ＰＯの論理積をとる論理積回路を設け、図１２に示すように、外部光が入力された場合に、受光出力ＰＯがハイ（Ｈ）であり、クロックパルス信号ＣＬの反転信号がハイ（Ｈ）のとき、その論理積がハイ（Ｈ）となるので、設けた論理積回路のハイ（Ｈ）出力により、出力端子Ｐから出力される信号を、ハイ（Ｈ）に強制するようにしてもよい。
【図面の簡単な説明】
【００７２】
【図１】一実施形態に係る遊戯機用投入物セレクタの回路構成の一例を示す回路図である。
【図２】同遊戯機用投入物セレクタにおける受光部（フォトＩＣ）の出力ＰＯの応答遅延のない場合の各部の信号を示す図である。
【図３】同遊戯機用投入物セレクタにおける受光部（フォトＩＣ）の出力ＰＯの応答遅延のない場合の各部の信号の真理値表を示す図である。
【図４】同遊戯機用投入物セレクタにおいて、遅延処理回路がなく投光パルス信号に対し受光パルス信号ＰＯがパルス信号の立ち上がり、立ち下がりの両方で遅延する場合の各部の信号を示す図である。
【図５】同遊戯機用投入物セレクタにおいて、遅延処理回路がなく投光パルス信号に対し受光パルス信号ＰＯがパルス信号の立ち上がり時のみに遅延する場合の各部の信号を示す図である。
【図６】同遊戯機用投入物セレクタにおいて、遅延処理回路がなく投光パルス信号に対し受光パルス信号ＰＯがパルス信号の立ち下がり時のみに遅延する場合の各部の信号を示す図である。
【図７】図４の信号を遅延処理回路で処理したときの信号波形と論理処理された排他的論理和回路の出力信号を示す図である。
【図８】同遊戯機用投入物セレクタにおいて、受光パルス信号ＰＯが立ち上がりのときのみ遅延する場合の位相調整回路を示す回路図である。
【図９】同遊戯機用投入物セレクタにおいて、受光パルス信号ＰＯが立ち下がりのときのみ遅延する場合の位相調整回路を示す回路図である。
【図１０】同遊戯機用投入物セレクタにおいて、正常な待機状態における各部の信号を示す図である。
【図１１】同遊戯機用投入物セレクタにおいて、投光部と受光部との間の通過溝に検出物がある場合の各部の信号を示す図である。
【図１２】同遊戯機用投入物セレクタにおいて、受光部に不正操作に係る外部光を照射した場合の各部の信号を示す図である。
【図１３】同遊戯機用投入物セレクタにおいて、様々な状況における各部の信号と真理値表を示す図である。
【図１４】この発明の他の実施形態に係る遊戯機用投入物セレクタの回路構成の一例を示す回路図である。
【図１５】同実施形態遊戯機用投入物セレクタの全体動作に係る各部の信号を示す図である。
【図１６】一般的な光センサの外観斜視図である。
【図１７】一般的な光センサの従来例に係る回路図である。
【図１８】一般的な光センサにおいて、投入物の検出時の投光信号と受光信号を示す図である。
【図１９】一般的な光センサに対して、不正具を用いた不正操作の例を示す図である。
【図２０】図１９に示す不正操作を行ったときの投光信号と受光信号を示す図である。
【図２１】２対の投光部及び受光部を有する光センサに対して、一例の不正具を用いた不正操作の例を示す図である。
【図２２】図２１に示す不正操作を行ったときの投光信号及び受光信号と不正防止を示す図である。
【図２３】２対の投光部及び受光部を有する光センサに対して、別例の不正具を用いた不正操作の例を示す図である。
【図２４】図２３に示す不正操作を行ったときの投光信号と受光信号を示す図である。
【符号の説明】
【００７３】
１，１ａ、１ｂ            投光部
２，２ａ，２ｂ            受光部
３                        パルス発振回路
４，４ａ，４ｂ            投光駆動回路
５                        位相調整回路
６，６ａ、６ｂ            排他的論理和回路
７，７ａ、７ｂ            検波回路
８，８ａ，８ｂ            出力回路
ＰＯ                      フォトＩＣ（受光素子）出力
ＣＯＭ１                  アナログ比較回路
ＶＣ                      比較電圧
１１，１１ａ，１１ｂ      発光ダイオード（投光素子）
２１，２１ａ、２１ｂ      フォトダイオード（受光素子）
ＣＬ                      クロックパルス
ＴＤＨ                    立ち上がり遅延時間
ＴＤＬ                    立ち下がり遅延時間
Ｐ  ，Ｐａ，Ｐｂ                        出力端子
【図１】
2007282867.tif 000003
【図２】
2007282867.tif 000004
【図３】
2007282867.tif 000005
【図４】
2007282867.tif 000006
【図５】
2007282867.tif 000007
【図６】
2007282867.tif 000008
【図７】
2007282867.tif 000009
【図８】
2007282867.tif 000010
【図９】
2007282867.tif 000011
【図１０】
2007282867.tif 000012
【図１１】
2007282867.tif 000013
【図１２】
2007282867.tif 000014
【図１３】
2007282867.tif 000015
【図１４】
2007282867.tif 000016
【図１５】
2007282867.tif 000017
【図１６】
2007282867.tif 000018
【図１７】
2007282867.tif 000019
【図１８】
2007282867.tif 000020
【図１９】
2007282867.tif 000021
【図２０】
2007282867.tif 000022
【図２１】
2007282867.tif 000023
【図２２】
2007282867.tif 000024
【図２３】
2007282867.tif 000025
【図２４】
2007282867.tif 000026